(57)【要約】      （修正有）【課題】薄型であるが、占有するリアルエステートが可能な限り少ないコスト効率の良い集積パッケージを提供する。【解決手段】集積デバイス200は、集積デバイスのための基部として構成される誘電体層202と、誘電体層内のいくつかの再分配金属層と、誘電体層の第１の表面に結合される第１のウェハレベルダイ206と、第１のウェハレベルダイに結合される第２のウェハレベルダイ208とを含む。第１のウェハレベルダイは、第１の組のインターコネクト230を介して再分配金属層に結合される。第２のウェハレベルダイはいくつかの基板貫通ビア（ＴＳＶ）219を含む。第２のウェハレベルダイは第１の組のインターコネクト、ＴＳＶ、第２の組のインターコネクト218および１組のハンダボールを通して、再分配金属層に結合される。集積デバイスは、第１のウェハレベルダイおよび第２のウェハレベルダイを封入する封入層220を含む。【選択図】図２
2018082205.tif 000002
【特許請求の範囲】
【請求項１】
集積デバイスであって、
前記集積デバイスのための基部として構成される誘電体層と、
前記誘電体層内にある複数の再分配金属層と、
前記誘電体層の第１の表面に結合される第１のウェハレベルダイと、
前記第１のウェハレベルダイに結合される第２のウェハレベルダイとを備える、集積デバイス。
【請求項２】
前記誘電体層はいくつかの誘電体層を含む、請求項１に記載の集積デバイス。
【請求項３】
前記第１のウェハレベルダイは、第１の組のインターコネクトを介して、前記複数の再分配金属層に結合される、請求項１に記載の集積デバイス。
【請求項４】
前記第２のウェハレベルダイは１組のインターコネクトおよび１組のハンダボールを通して前記第１のウェハレベルダイに結合される、請求項１に記載の集積デバイス。
【請求項５】
前記第１のウェハレベルダイは複数の基板貫通ビア（ＴＳＶ）を備える、請求項１に記載の集積デバイス。
【請求項６】
前記第２のウェハレベルダイは第１の組のインターコネクト、前記複数のＴＳＶ、第２の組のインターコネクトおよび１組のハンダボールを通して、前記複数の再分配金属層に結合される、請求項５に記載の集積デバイス。
【請求項７】
前記第１のウェハレベルダイおよび前記第２のウェハレベルダイを封入する封入層をさらに備える、請求項１に記載の集積デバイス。
【請求項８】
前記誘電体層の前記第１の表面に結合される第３のウェハレベルダイをさらに備える、請求項１に記載の集積デバイス。
【請求項９】
前記第１のウェハレベルダイはプロセッサであり、前記第２のウェハレベルダイはメモリダイである、請求項１に記載の集積デバイス。
【請求項１０】
前記集積デバイスは、音楽プレーヤ、ビデオプレーヤ、エンターテイメントユニット、ナビゲーションデバイス、通信デバイス、モバイルデバイス、モバイルフォン、スマートフォン、携帯情報端末、定置端末、タブレットコンピュータ、および／またはラップトップコンピュータのうちの少なくとも１つに組み込まれる、請求項１に記載の集積デバイス。
【請求項１１】
集積デバイスのための基部として構成される誘電体層と、
前記誘電体層内の再分配インターコネクト手段と、
前記誘電体層の第１の表面に結合される第１のウェハレベルダイと、
前記第１のウェハレベルダイに結合される第２のウェハレベルダイとを備える、装置。
【請求項１２】
前記誘電体層はいくつかの誘電体層を含む、請求項１１に記載の装置。
【請求項１３】
前記第１のウェハレベルダイは、第１の組のインターコネクトを介して、前記再分配インターコネクト手段に結合される、請求項１１に記載の装置。
【請求項１４】
前記第２のウェハレベルダイは１組のインターコネクトおよび１組のハンダボールを通して前記第１のウェハレベルダイに結合される、請求項１１に記載の装置。
【請求項１５】
前記第１のウェハレベルダイは複数の基板貫通ビア（ＴＳＶ）を備える、請求項１１に記載の装置。
【請求項１６】
前記第２のウェハレベルダイは第１の組のインターコネクト、前記複数のＴＳＶ、第２の組のインターコネクトおよび１組のハンダボールを通して、前記再分配インターコネクト手段に結合される、請求項１５に記載の装置。
【請求項１７】
前記第１のウェハレベルダイおよび前記第２のウェハレベルダイを封入する封入手段をさらに備える、請求項１１に記載の装置。
【請求項１８】
前記誘電体層の前記第１の表面に結合される第３のウェハレベルダイをさらに備える、請求項１１に記載の装置。
【請求項１９】
前記第１のウェハレベルダイはプロセッサであり、前記第２のウェハレベルダイはメモリダイである、請求項１１に記載の装置。
【請求項２０】
音楽プレーヤ、ビデオプレーヤ、エンターテイメントユニット、ナビゲーションデバイス、通信デバイス、モバイルデバイス、モバイルフォン、スマートフォン、携帯情報端末、定置端末、タブレットコンピュータ、および／またはラップトップコンピュータのうちの少なくとも１つに組み込まれる、請求項１１に記載の装置。
【請求項２１】
集積デバイスを作製するための方法であって、
キャリア上に第１のウェハレベルダイを配置するステップと、
前記第１のウェハレベルダイ上に第２のウェハレベルダイを配置するステップと、
前記第１のウェハレベルダイおよび前記第２のウェハレベルダイを封入層で封入するステップと、
前記封入された第１のウェハレベルダイおよび第２のウェハレベルダイの第１の表面上に誘電体層を形成するステップであって、前記第１の表面は前記キャリアの反対側にある、形成するステップと、
前記誘電体層内に複数の再分配金属層を形成するステップとを含む、方法。
【請求項２２】
前記誘電体層を形成するステップは、前記封入された第１のウェハレベルダイおよび第２のウェハレベルダイの前記表面上にいくつかの誘電体層を形成するステップを含む、請求項２１に記載の方法。
【請求項２３】
前記複数の再分配金属層を形成するステップは、前記複数の再分配金属層を前記第１のウェハレベルダイの第１の組のインターコネクトに結合するステップを含む、請求項２１に記載の方法。
【請求項２４】
前記第２のウェハレベルダイを前記第１のウェハレベルダイに配置するステップは、１組のインターコネクトおよび１組のハンダボールを前記第１のウェハレベルダイに結合するステップを含む、請求項２１に記載の方法。
【請求項２５】
前記第１のウェハレベルダイは複数の基板貫通ビア（ＴＳＶ）を備える、請求項２１に記載の方法。
【請求項２６】
前記第１のウェハレベルダイをキャリア上に配置するステップは、前記第１のウェハレベルダイを前記キャリアの接着層上に配置するステップを含む、請求項２１に記載の方法。
【請求項２７】
前記キャリアおよび／または前記接着層のうちの少なくとも１つを除去することをさらに含む、請求項２６に記載の方法。
【請求項２８】
前記キャリアの少なくとも一部を除去するステップをさらに含む、請求項２１に記載の方法。
【請求項２９】
前記第１のウェハレベルダイはプロセッサであり、前記第２のウェハレベルダイはメモリダイである、請求項２１に記載の方法。
【請求項３０】
前記集積デバイスは、音楽プレーヤ、ビデオプレーヤ、エンターテイメントユニット、ナビゲーションデバイス、通信デバイス、モバイルデバイス、モバイルフォン、スマートフォン、携帯情報端末、定置端末、タブレットコンピュータ、および／またはラップトップコンピュータのうちの少なくとも１つに組み込まれる、請求項２１に記載の方法。
【発明の詳細な説明】
【技術分野】
【０００１】
関連出願の相互参照
本出願は、内容全体が参照により本明細書に組み込まれる、２０１４年２月１４日に米国特許商標庁に出願された、米国非仮特許出願第１４／１８１，３７１号の優先権および恩典を主張する。
【０００２】
種々の特徴は、再分配層上に積層ダイを含む集積デバイスに関する。
【背景技術】
【０００３】
図１は、基板１０２と、第１のダイ１０６と、第２のダイ１０８と、第１の組のハンダボール１１６と、第２の組のハンダボール１１８と、第３の組のハンダボール１２０とを含む従来の集積パッケージ１００を示す。第１のダイ１０６は、第１の組のハンダボール１１６を通して基板１０２に結合される。第２のダイ１０８は、第２の組のハンダボール１１８を通して基板１０２に結合される。第３の組のハンダボール１２０は基板１０２に結合される。通常、第３の組のハンダボール１２０は、プリント回路基板（ＰＣＢ）（図示せず）に結合される。
【０００４】
図１に示されるような従来の集積パッケージは、ある制約および不利な点を有する。たとえば、図１の集積パッケージ１００の基板１０２は通常、有機積層板（たとえば、硬質または軟質）、またはシリコン（Ｓｉ）インターポーザから形成される。基板としてそのような材料を使用することは、薄型集積パッケージを製造しようと試みるときに、設計上の問題を引き起こす。すなわち、これらの材料は、その製造上の制約に起因して、著しい設計上の不利益をもたらす。詳細には、これらの材料は、集積パッケージが占有するリアルエステートが可能な限り少ない場合、複数のダイを含む薄型集積パッケージを提供することを不可能にするか、またはそのようなパッケージを提供する費用を法外に高くする。
【０００５】
さらに、ダイと基板との間の結合方法としてハンダボールを使用することは、ハンダボール間に必要とされる最小間隔が基板上のトレースおよび／またはビア間に必要とされる最小間隔より大きい場合があるので、ダイと基板との間に存在することができる接続の密度を制限する。
【発明の概要】
【発明が解決しようとする課題】
【０００６】
それゆえ、薄型であるが、占有するリアルエステートが可能な限り少ないコスト効率の良い集積パッケージが必要とされている。理想的には、そのような集積パッケージは、より高密度の、ダイとの接続も提供することになる。
【課題を解決するための手段】
【０００７】
本明細書において説明される種々の特徴、装置および方法は、再分配層上に積層ダイを含む集積デバイスを提供する。
【０００８】
第１の例が集積デバイスを提供し、その集積デバイスは、集積デバイスのための基部として構成される誘電体層と、誘電体層内のいくつかの再分配金属層と、誘電体層の第１の表面に結合される第１のウェハレベルダイと、第１のウェハレベルダイに結合される第２のウェハレベルダイとを含む。
【０００９】
一態様によれば、誘電体層は、いくつかの誘電体層を含む。
【００１０】
一態様によれば、第１のウェハレベルダイは、第１の組のインターコネクトを介していくつかの再分配金属層に結合される。
【００１１】
一態様によれば、第２のウェハレベルダイは１組のインターコネクトおよび１組のハンダボールを通して第１のウェハレベルダイに結合される。
【００１２】
一態様によれば、第１のウェハレベルダイはいくつかの基板貫通ビア（ＴＳＶ）を含む。いくつかの実施態様では、第２のウェハレベルダイは第１の組のインターコネクト、いくつかのＴＳＶ、第２の組のインターコネクトおよび１組のハンダボールを通して、いくつかの再分配金属層に結合される。
【００１３】
一態様によれば、集積デバイスは、第１のウェハレベルダイおよび第２のウェハレベルダイを封入する封入層を含む。
【００１４】
一態様によれば、集積デバイスは、誘電体層の第１の表面に結合される第３のウェハレベルダイを含む。
【００１５】
一態様によれば、第１のウェハレベルダイはプロセッサであり、第２のウェハレベルダイはメモリダイである。
【００１６】
一態様によれば、集積デバイスは、音楽プレーヤ、ビデオプレーヤ、エンターテイメントユニット、ナビゲーションデバイス、通信デバイス、モバイルデバイス、モバイルフォン、スマートフォン、携帯情報端末、定置端末、タブレットコンピュータ、および／またはラップトップコンピュータのうちの少なくとも１つに組み込まれる。
【００１７】
第２の例が装置を提供し、その装置は、集積デバイスのための基部として構成される誘電体層と、誘電体層内のいくつかの再分配インターコネクト手段と、誘電体層の第１の表面に結合される第１のウェハレベルダイと、第１のウェハレベルダイに結合される第２のウェハレベルダイとを含む。
【００１８】
一態様によれば、誘電体層は、いくつかの誘電体層を含む。
【００１９】
一態様によれば、第１のウェハレベルダイは、第１の組のインターコネクトを介して、再分配インターコネクト手段に結合される。
【００２０】
一態様によれば、第２のウェハレベルダイは１組のインターコネクトおよび１組のハンダボールを通して第１のウェハレベルダイに結合される。
【００２１】
一態様によれば、第１のウェハレベルダイは複数の基板貫通ビア（ＴＳＶ）を備える。いくつかの実施態様では、第２のウェハレベルダイは第１の組のインターコネクト、いくつかのＴＳＶ、第２の組のインターコネクトおよび１組のハンダボールを通して、再分配インターコネクト手段に結合される。
【００２２】
一態様によれば、装置は、第１のウェハレベルダイおよび第２のウェハレベルダイを封入する封入層を含む。
【００２３】
一態様によれば、装置は、誘電体層の第１の表面に結合される第３のウェハレベルダイを含む。
【００２４】
一態様によれば、第１のウェハレベルダイはプロセッサであり、第２のウェハレベルダイはメモリダイである。
【００２５】
一態様によれば、装置は、音楽プレーヤ、ビデオプレーヤ、エンターテイメントユニット、ナビゲーションデバイス、通信デバイス、モバイルデバイス、モバイルフォン、スマートフォン、携帯情報端末、定置端末、タブレットコンピュータ、および／またはラップトップコンピュータのうちの少なくとも１つに組み込まれる。
【００２６】
第３の例が、集積デバイスを作製するための方法を提供する。その方法は、キャリア上に第１のウェハレベルダイを配置する。その方法は、第１のウェハレベルダイ上に第２のウェハレベルダイを配置する。その方法は、第１のウェハレベルダイおよび第２のウェハレベルダイを封入層で封入する。その方法は、封入された第１のウェハレベルダイおよび第２のウェハレベルダイの第１の表面上に誘電体層を形成し、第１の表面はキャリアの反対側にある。その方法は、誘電体層内に複数の再分配金属層を形成する。
【００２７】
一態様によれば、誘電体層を形成することは、封入された第１のウェハレベルダイおよび第２のウェハレベルダイの表面上にいくつかの誘電体層を形成することを含む。
【００２８】
一態様によれば、いくつかの再分配金属層を形成することは、第１のウェハレベルダイの第１の組のインターコネクトにいくつかの再分配金属層を結合することを含む。
【００２９】
一態様によれば、第２のウェハレベルダイを第１のウェハレベルダイに配置することは、第１のウェハレベルダイに１組のインターコネクトおよび１組のハンダボールを結合することを含む。
【００３０】
一態様によれば、第１のウェハレベルダイはいくつかの基板貫通ビア（ＴＳＶ）を含む。
【００３１】
一態様によれば、キャリア上に第１のウェハレベルダイを配置することは、キャリアの接着層上に第１のウェハレベルダイを配置することを含む。いくつかの実施態様では、その方法は、キャリアおよび／または接着層のうちの少なくとも１つを除去することも含む。
【００３２】
一態様によれば、その方法はさらに、キャリアの少なくとも一部を除去することを含む。
【００３３】
一態様によれば、第１のウェハレベルダイはプロセッサであり、第２のウェハレベルダイはメモリダイである。
【００３４】
一態様によれば、集積デバイスは、音楽プレーヤ、ビデオプレーヤ、エンターテイメントユニット、ナビゲーションデバイス、通信デバイス、モバイルデバイス、モバイルフォン、スマートフォン、携帯情報端末、定置端末、タブレットコンピュータ、および／またはラップトップコンピュータのうちの少なくとも１つに組み込まれる。
【００３５】
種々の特徴、性質、および利点は、同様の参照符号が全体にわたって対応して識別する図面と併せて読まれたとき、以下に記載される詳細な説明から明らかになる場合がある。
【図面の簡単な説明】
【００３６】
【図１】従来の集積デバイスの側面図である。
【図２】積層ダイを含む集積デバイスの一例を示す図である。
【図３】ダイの一例を示す図である。
【図４】基板貫通ビアを含むダイの一例を示す図である。
【図５】積層ダイを含む集積デバイスの一例を示す図である。
【図６】積層ダイを含む集積デバイスの一例を示す図である。
【図７Ａ】積層ダイを含む集積デバイスを配設／製造するための例示的なシーケンスの一部を示す図である。
【図７Ｂ】積層ダイを含む集積デバイスを配設／製造するための例示的なシーケンスの一部を示す図である。
【図７Ｃ】積層ダイを含む集積デバイスを配設／製造するための例示的なシーケンスの一部を示す図である。
【図８】積層ダイを含む集積デバイスを配設／製造するための例示的な方法を示す図である。
【図９Ａ】積層ダイを含む集積デバイスを配設／製造するための例示的なシーケンスの一部を示す図である。
【図９Ｂ】積層ダイを含む集積デバイスを配設／製造するための例示的なシーケンスの一部を示す図である。
【図９Ｃ】積層ダイを含む集積デバイスを配設／製造するための例示的なシーケンスの一部を示す図である。
【図１０】積層ダイを含む集積デバイスを配設／製造するための例示的な方法を示す図である。
【図１１Ａ】再分配層を配設／製造するための例示的なシーケンスの一部を示す図である。
【図１１Ｂ】再分配層を配設／製造するための例示的なシーケンスの一部を示す図である。
【図１１Ｃ】再分配層を配設／製造するための例示的なシーケンスの一部を示す図である。
【図１２】本明細書において説明される半導体デバイス、ダイ、集積回路および／またはＰＣＢを組み込むことができる種々の電子デバイスを示す図である。
【発明を実施するための形態】
【００３７】
以下の説明では、本開示の種々の態様を完全に理解してもらうために具体的な詳細が与えられる。しかしながら、それらの態様が、これらの具体的な詳細なしに実施できることは当業者には理解されよう。たとえば、それらの態様を無用に詳しく説明して曖昧にすることを避けるために、回路がブロック図で示される場合がある。他の例では、本開示の態様を曖昧にしないように、周知の回路、構造、および技術は詳細には示されない場合がある。
【００３８】
概説
いくつかの新規の特徴が集積デバイス（たとえば、集積パッケージ、ウェハレベル集積パッケージデバイス）に関連し、その集積デバイスは、集積デバイスのための基部として構成される誘電体層と、誘電体層内のいくつかの再分配金属層と、誘電体層の第１の表面に結合される第１のダイと、第１のダイに結合される第２のダイとを含む。いくつかの実施態様では、誘電体層はいくつかの誘電体層を含む。いくつかの実施態様では、第１のダイは、第１の組のインターコネクトを通して再分配金属層に結合される。いくつかの実施態様では、第２のダイは１組のインターコネクトおよび１組のハンダボールを通して第１のダイに結合される。いくつかの実施態様では、第１のダイはいくつかの基板貫通ビア（ＴＳＶ）を含む。いくつかの実施態様では、第２のダイは第１の組のインターコネクト、ＴＳＶ、第２の組のインターコネクトおよび１組のハンダボールを通して、再分配金属層に結合される。いくつかの実施態様では、集積デバイスはさらに、第１のダイおよび第２のダイを封入する封入材を含む。いくつかの実施態様では、集積デバイスはさらに、誘電体層の第１の表面に結合される第３のダイを含む。いくつかの実施態様では、第１のダイはプロセッサであり、第２のダイはメモリダイである。
【００３９】
積層ダイを含む例示的な集積デバイス
図２は、積層ダイを含む集積デバイス（たとえば、半導体デバイス、集積パッケージ、ウェハレベル集積パッケージデバイス）の側面図の一例を概念的に示す。具体的には、図２は、集積デバイス２００（たとえば、集積パッケージ）を示しており、集積デバイス２００は、誘電体層２０２と、第１の組のハンダボール２０４（たとえば、２０４ａ〜２０４ｄ）と、第１のダイ２０６と、第２のダイ２０８と、第３のダイ２１０と、封入材２２０とを含む。異なる実施態様は、封入材２２０のために異なる材料を使用することができる。たとえば、封入材２２０は、少なくともモールド、エポキシおよび／またはポリマー充填材のうちの１つを含むことができる。ダイ（たとえば、第１のダイ２０６、第２のダイ２０８、第３のダイ２１０）は、メモリダイおよび／またはプロセッサのような、異なるタイプのダイを表す場合がある。ダイはさらに、図３〜図４を参照しながら以下に詳細に説明される。
【００４０】
誘電体層２０２は、１つの誘電体層またはいくつかの誘電体層を含むことができる。いくつかの実施態様では、誘電体層２０２は、絶縁層である。いくつかの実施態様では、誘電体層２０２の全厚は１００ミクロン（μｍ）以下である。異なる実施態様は、誘電体層２０２のために異なる材料を使用することができる。いくつかの実施態様では、誘電体層２０２は、少なくともポリイミド、フェノール樹脂、ポリベンゾオキサゾール（ＰｂＯ）層および／またはポリマーのうちの１つを含むことができる。
【００４１】
図２は、誘電体層２０２が１組の金属層を含むことを示す。詳細には、誘電体層２０２は、第１の組の再分配インターコネクト２３０と、第１のアンダーバンプ（ＵＢＭ）層２３２と、第２の組の再分配インターコネクト２４０と、第２のアンダーバンプ（ＵＢＭ）層２４２と、第３の組の再分配インターコネクト２５０と、第３のアンダーバンプ（ＵＢＭ）層２５２と、第４の組の再分配インターコネクト２６０と、第４のアンダーバンプ（ＵＢＭ）層２６２とを含む。いくつかの実施態様では、第１の再分配インターコネクト２３０、第２の再分配インターコネクト２４０、第３の再分配インターコネクト２５０および第４の再分配インターコネクト２６０は再分配層である。再分配層はビアを含むことができる。異なる実施態様は、異なる数の再分配金属層（たとえば、１つ、２つ、またはそれ以上の金属層）を有することができる。
【００４２】
第１のダイ２０６は、第１の組のインターコネクト２１６を介して誘電体層２０２の第１の表面に結合される。いくつかの実施態様では、第１の組のインターコネクト２１６は金属ピラー（たとえば、金属層）である。いくつかの実施態様では、金属ピラーは銅ピラーである。いくつかの実施態様では、第１のダイ２０６は、第１の組のインターコネクト２１６、第１の組の再分配インターコネクト２３０、第１のＵＢＭ層２３２、第２の組の再分配インターコネクト２４０および／または第２のＵＢＭ層２４２を通して、１組のハンダボール２０４のうちの少なくとも１つに電気的に結合される。いくつかの実施態様では、ＵＢＭ層はオプションである。そのような場合に、ハンダボールは、１組の再分配インターコネクト（たとえば、再分配インターコネクト２３０、２４０、２５０、２６０）に結合することができる。
【００４３】
第２のダイ２０８は、第２の組のインターコネクト２１８を通して、誘電体層２０２の第１の表面に結合される。いくつかの実施態様では、第２の組のインターコネクト２１８は金属ピラー（たとえば、金属層）である。いくつかの実施態様では、金属ピラーは銅ピラーである。いくつかの実施態様では、第２のダイ２０８は、第２の組のインターコネクト２１８、第３の組の再分配インターコネクト２５０、および／または第３のＵＢＭ層２５２を通して、１組のハンダボール２０４のうちの少なくとも１つに電気的に結合される。いくつかの実施態様では、第１のダイ２０６は、誘電体層２０２内の１組の再分配インターコネクトを介して、第２のダイ２０８に電気的に結合することができる。
【００４４】
第３のダイ２１０は、第３の組のインターコネクト２１２および１組のハンダボール２１４を通して第２のダイ２０８に結合される。いくつかの実施態様では、第３の組のインターコネクト２１２および１組のハンダボール２１４は１組のインターコネクトバンプを形成する。
【００４５】
図２に示されるように、第２のダイ２０８は１組の基板貫通ビア（ＴＳＶ）２１９を含む。ＴＳＶ２１９は、第２のダイ２０８の一部を横断することができるか、または第２のダイ２０８の全体を横断することができる。いくつかの実施態様では、第３のダイ２１０は、第３の組のインターコネクト２１２、１組のハンダボール２１４、ＴＳＶ２１９、第２の組のインターコネクト２１８、第４の組の再分配インターコネクト２６０および／または第４の組のＵＢＭ層２６２を通して、ハンダボール２０４のうちの少なくとも１つに電気的に結合される。
【００４６】
図３は、（集積デバイスの一形態である）ダイ３００の一例を概念的に示す。明確にするために、図３は、ダイを一般化したものを示す。したがって、図３において、ダイのすべての構成要素が必ずしも示されるとは限らない。いくつかの実施態様では、ダイ３００は、図２のダイ２０６、２０８および／または２１０の少なくとも１つに対応することができる。いくつかの実施態様では、ダイ３００はウェハレベルダイである。いくつかの実施態様では、ダイ３００はダイパッケージである。図３に示されるように、ダイ３００（たとえば、集積デバイス）は、基板３０１と、いくつかの下位金属層および誘電体層３０２と、１組のインターコネクト３１１〜３１６（たとえば、バンプ、ピラーインターコネクト）と、封入材３２０（たとえば、モールド、エポキシ、ポリマー充填材）とを含む。いくつかの実施態様では、封入材３２０はオプションとすることができる。ダイ３００は、アクティブ領域（たとえば、正面）と背面領域とを含む。
【００４７】
いくつかの実施態様では、ダイ３００は、パッド、パッシベーション層、第１の絶縁層、および／または第１のパッド層を含むこともできる。そのような場合に、パッドは下位金属層および誘電体層３０２に結合することができる。パッシベーション層は、下位金属層および誘電体層３０２と封入材３２０との間に配置することができる。第１のパッド層は、パッドおよびインターコネクト３１１〜３１６のうちの１つに結合することができる。
【００４８】
いくつかの実施態様では、ダイは、１つまたは複数の基板貫通ビア（ＴＳＶ）を含むこともできる。図３は、少なくとも１つのＴＳＶを含む、（集積デバイスの形態である）ダイ４００の一例を概念的に示す。明確にするために、図４は、ダイを一般化したものを示す。したがって、図４において、ダイのすべての構成要素が必ずしも示されるとは限らない。いくつかの実施態様では、ダイ４００は、図２のダイ２０６、２０８および／または２１０の少なくとも１つに対応することができる。いくつかの実施態様では、ダイ４００はウェハレベルダイである。いくつかの実施態様では、ダイ４００はダイパッケージである。図４に示されるように、ダイ４００（たとえば、集積デバイス）は、基板４０１と、いくつかの下位金属層および誘電体層４０２と、１組のインターコネクト４１１〜４１６（たとえば、バンプ、ピラーインターコネクト、パッド）と、封入材４２０（たとえば、モールド、エポキシ、ポリマー充填材、無機誘電体）とを含む。いくつかの実施態様では、封入材４２０はオプションとすることができる。ダイ４００は、アクティブ領域（たとえば、正面）と背面領域とを含む。
【００４９】
図４に示されるように、ダイ４００は、第１の基板貫通ビア（ＴＳＶ）４２１と、第２のＴＳＶ４２２と、第３のＴＳＶ４３３と、第４のＴＳＶ４３４とを含む。第１のＴＳＶ４２１および第２のＴＳＶ４２２は基板４０１と、下位金属層および誘電体層４０２とを横断する。第３のＴＳＶ４３３および第４のＴＳＶ４３４は、基板４０１を横断する。
【００５０】
いくつかの実施態様では、ダイ４００は、パッド、パッシベーション層、第１の絶縁層、第１のアンダーバンプメタライゼーション（ＵＢＭ）層および第２のアンダーバンプメタライゼーション（ＵＢＭ）層を含むこともできる。そのような場合に、パッドは下位金属層および誘電体層４０２に結合することができる。パッシベーション層は、下位金属層および誘電体層４０２と封入材４２０との間に配置することができる。第１のバンプ層は、パッドおよびインターコネクト４１１〜４１６のうちの１つに結合することができる。
【００５１】
集積デバイスの異なる実施態様は、ダイの異なる組合せおよび／または構成を有することができる。図５および図６は、他の集積デバイスを概念的に示す。
【００５２】
具体的には、図５は、集積デバイス５００（たとえば、集積パッケージ）を示し、その集積デバイスは、誘電体層５０２と、第１の組のハンダボール５０４（たとえば、５０４ａ〜５０４ｄ）と、第１のダイ５０６と、第２のダイ５０８と、第３のダイ５１０と、封入材５２０とを含む。異なる実施態様は、封入材５２０のために異なる材料を使用することができる。たとえば、封入材５２０は、少なくともモールド、エポキシおよび／またはポリマー充填材のうちの１つを含むことができる。ダイ（たとえば、第１のダイ５０６、第２のダイ５０８、第３のダイ５１０）は、メモリダイおよび／またはプロセッサのような、異なるタイプのダイを表す場合がある。ダイは、図３〜図４を参照しながら詳細に説明された。
【００５３】
誘電体層５０２は、１つの誘電体層またはいくつかの誘電体層を含むことができる。いくつかの実施態様では、誘電体層５０２は、絶縁層である。図５は、誘電体層５０２が１組の金属層を含むことを示す。詳細には、誘電体層５０２は、第１の組の再分配インターコネクト５３０と、第１のアンダーバンプ（ＵＢＭ）層５３２と、第２の組の再分配インターコネクト５４０と、第２のアンダーバンプ（ＵＢＭ）層５４２と、第３の組の再分配インターコネクト５５０と、第３のアンダーバンプ（ＵＢＭ）層５５２と、第４の組の再分配インターコネクト５６０と、第４のアンダーバンプ（ＵＢＭ）層５６２とを含む。いくつかの実施態様では、第１の再分配インターコネクト５３０、第２の再分配インターコネクト５４０、第３の再分配インターコネクト５５０および第４の再分配インターコネクト５６０は再分配層である。再分配層はビアを含むことができる。異なる実施態様は、異なる数の再分配金属層（たとえば、１つ、２つ、またはそれ以上の金属層）を有することができる。
【００５４】
第１のダイ５０６は、第１の組のインターコネクト５１６を通して誘電体層５０２の第１の表面に結合される。いくつかの実施態様では、第１の組のインターコネクト５１６は金属ピラー（たとえば、金属層）である。いくつかの実施態様では、金属ピラーは銅ピラーである。いくつかの実施態様では、第１のダイ５０６は、第１の組のインターコネクト５１６、第１の組の再分配インターコネクト５３０、第１のＵＢＭ層５３２、第２の組の再分配インターコネクト５４０および／または第２のＵＢＭ層５４２を通して、１組のハンダボール５０４のうちの少なくとも１つに電気的に結合される。
【００５５】
第２のダイ５０８は、第２の組のインターコネクト５１８を通して、誘電体層５０２の第１の表面に結合される。いくつかの実施態様では、第２の組のインターコネクト５１８は金属ピラー（たとえば、金属層）である。いくつかの実施態様では、金属ピラーは銅ピラーである。いくつかの実施態様では、第２のダイ５０８は、第２の組のインターコネクト５１８、第３の組の再分配インターコネクト５５０、および／または第３のＵＢＭ層５５２を通して、１組のハンダボール５０４のうちの少なくとも１つに電気的に結合される。
【００５６】
図５に示されるように、第１の組のインターコネクト５１６は、第２の組のインターコネクト５１８より長い。いくつかの実施態様では、これは、第２のダイ５０８および第３のダイ５１０を組み合わせた高さに実質的に類似である第１のダイ５０６の高さを有するために行われる。第１の組のインターコネクト５１６の長さは、異なる実施態様の場合には異なることがある。
【００５７】
第３のダイ５１０は、第３の組のインターコネクト５１２および１組のハンダボール５１４を通して第２のダイ５０８に結合される。いくつかの実施態様では、第３の組のインターコネクト５１２および１組のハンダボール５１４は１組のインターコネクトバンプを形成する。
【００５８】
図５に示されるように、第２のダイ５０８は１組の基板貫通ビア（ＴＳＶ）５１９を含む。ＴＳＶ５１９は、第２のダイ５０８の一部を横断することができるか、または第２のダイ５０８の全体を横断することができる。いくつかの実施態様では、第３のダイ５１０は、第３の組のインターコネクト５１２、１組のハンダボール５１４、ＴＳＶ５１９、第２の組のインターコネクト５１８、第４の組の再分配インターコネクト５６０および／または第４の組のＵＢＭ層５６２を通して、ハンダボール５０４のうちの少なくとも１つに電気的に結合される。いくつかの実施態様では、ＵＢＭ層はオプションである。そのような場合に、ハンダボールは、１組の再分配インターコネクトに結合することができる。
【００５９】
図６は、集積デバイス６００（たとえば、集積パッケージ）を示し、その集積デバイスは、誘電体層６０２と、第１の組のハンダボール６０４（たとえば、６０４ａ〜６０４ｄ）と、第１のダイ６０６と、第２のダイ６０８と、第３のダイ６１０と、第４のダイ６１１と、封入材６２０とを含む。異なる実施態様は、封入材６２０のために異なる材料を使用することができる。たとえば、封入材６２０は、少なくともモールド、エポキシおよび／またはポリマー充填材のうちの１つを含むことができる。ダイ（第１のダイ６０６、第２のダイ６０８、第３のダイ６１０、第４のダイ６１１）は、メモリダイおよび／またはプロセッサのような、異なるタイプのダイを表す場合がある。ダイは、図３〜図４を参照しながら詳細に説明された。
【００６０】
誘電体層６０２は、１つの誘電体層またはいくつかの誘電体層を含むことができる。いくつかの実施態様では、誘電体層６０２は、絶縁層である。図６は、誘電体層６０２が１組の金属層を含むことを示す。詳細には、誘電体層６０２は、第１の組の再分配インターコネクト６３０と、第１のアンダーバンプ（ＵＢＭ）層６３２と、第２の組の再分配インターコネクト６４０と、第２のアンダーバンプ（ＵＢＭ）層６４２と、第３の組の再分配インターコネクト６５０と、第３のアンダーバンプ（ＵＢＭ）層６５２と、第４の組の再分配インターコネクト６６０と、第４のアンダーバンプ（ＵＢＭ）層６６２とを含む。いくつかの実施態様では、第１の再分配インターコネクト６３０、第２の再分配インターコネクト６４０、第３の再分配インターコネクト６５０および第４の再分配インターコネクト６６０は再分配層である。再分配層はビアを含むことができる。異なる実施態様は、異なる数の再分配金属層（たとえば、１つ、２つ、またはそれ以上の金属層）を有することができる。１組のハンダボール６０４は、ＵＢＭ層６３２、６４２、６５２および／または６６２に結合される。しかしながら、いくつかの実施態様では、ＵＢＭ層６３２、６４２、６５２および／または６６２はオプションである。そのような場合に、１組のハンダボール６０４は、１組の再分配インターコネクト６３０、６４０、６５０および／または６６０に結合することができる。
【００６１】
第１のダイ６０６は、第１の組のインターコネクト６１６を通して誘電体層６０２の第１の表面に結合される。いくつかの実施態様では、第１の組のインターコネクト６１６は金属ピラー（たとえば、金属層）である。いくつかの実施態様では、金属ピラーは銅ピラーである。いくつかの実施態様では、第１のダイ６０６は、第１の組のインターコネクト６１６、第１の組の再分配インターコネクト６３０および／または第１のＵＢＭ層６３２を通して、１組のハンダボール６０４のうちの少なくとも１つに電気的に結合される。
【００６２】
第４のダイ６１１は、第４の組のインターコネクト６２２および１組のハンダボール６２４を通して第１のダイ６０６に結合される。いくつかの実施態様では、第４の組のインターコネクト６２２および１組のハンダボール６２４は１組のインターコネクトバンプを形成する。
【００６３】
図６に示されるように、第１のダイ６０６は１組の基板貫通ビア（ＴＳＶ）６２９を含む。ＴＳＶ６２９は、第１のダイ６０６の一部を横断することができるか、または第１のダイ６０６の全体を横断することができる。いくつかの実施態様では、第４のダイ６１１は、第４の組のインターコネクト６２２、１組のハンダボール６２４、ＴＳＶ６２９、第１の組のインターコネクト６１６、第２の組の再分配インターコネクト６４０および／または第２のＵＢＭ層６４２を通して、ハンダボール６０４のうちの少なくとも１つに電気的に結合される。
【００６４】
第２のダイ６０８は、第２の組のインターコネクト６１８を通して、誘電体層６０２の第１の表面に結合される。いくつかの実施態様では、第２の組のインターコネクト６１８は金属ピラー（たとえば、金属層）である。いくつかの実施態様では、金属ピラーは銅ピラーである。いくつかの実施態様では、第２のダイ６０８は、第２の組のインターコネクト６１８、第３の組の再分配インターコネクト６５０、および／または第３のＵＢＭ層６５２を通して、１組のハンダボール６０４のうちの少なくとも１つに電気的に結合される。
【００６５】
第３のダイ６１０は、第３の組のインターコネクト６１２および１組のハンダボール６１４を通して第２のダイ６０８に結合される。いくつかの実施態様では、第３の組のインターコネクト６１２および１組のハンダボール６１４は１組のインターコネクトバンプを形成する。
【００６６】
図６に示されるように、第２のダイ６０８は１組の基板貫通ビア（ＴＳＶ）６１９を含む。ＴＳＶ６１９は、第２のダイ６０８の一部を横断することができるか、または第２のダイ６０８の全体を横断することができる。いくつかの実施態様では、第３のダイ６１０は、第３の組のインターコネクト６１２、１組のハンダボール６１４、ＴＳＶ６１９、第２の組のインターコネクト６１８、第４の組の再分配インターコネクト６６０および／または第４のＵＢＭ層６６２を通して、ハンダボール６０４のうちの少なくとも１つに電気的に結合される。
【００６７】
いくつかの集積デバイスを説明してきたが、ここで、集積デバイス（たとえば、半導体デバイス）を配設／製造するためのシーケンスが以下に説明される。
【００６８】
積層ダイを含む集積デバイスを製造するための例示的なシーケンス
いくつかの実施態様では、積層ダイを含む集積デバイス（たとえば、集積パッケージ、ウェハレベル集積パッケージデバイス）を配設することは、いくつかのプロセスを含む。図７Ａ〜図７Ｃは、集積デバイスを配設する（たとえば、製造する、作製する）ための例示的なシーケンスを示す。いくつかの実施態様では、図７Ａ〜図７Ｃのシーケンスを用いて、図２、および／または図５〜図６の集積デバイスまたは本開示において説明される他の集積デバイスを配設／製造／作製することができる。
【００６９】
図７Ａ〜図７Ｃのシーケンスを用いて、回路素子をさらに含む集積デバイスを配設／製造／作製できることにも留意されたい。積層ダイを含む集積デバイスを配設するためのシーケンスを簡単にし、および／または明確にするために、図７Ａ〜図７Ｃのシーケンスは、１つまたは複数のステージを組み合わせることができることにさらに留意されたい。
【００７０】
図７Ａのステージ１において示されるように、キャリア（たとえば、キャリア７００）および接着層（たとえば、接着層７０１）が配設される。接着層７０１は、キャリア７００の表面に結合される。いくつかの実施態様では、接着層７０１は接着材料である。いくつかの実施態様では、キャリア７００は基板である。異なる実施態様は、キャリア７００のために異なる材料を用いることができる（たとえば、シリコン基板、ガラス基板、セラミック基板）。
【００７１】
ステージ２において、キャリア７００の接着層７０１上にいくつかのダイが配設される。ステージ２に示されるように、接着層７０１上に第１のダイ７０６および第２のダイ７１０が配設される。具体的には、第１のダイ７０６の背面および第２のダイ７１０の背面が接着層７０１に結合される。第１のダイ７０６は、第１の組のインターコネクト７１６を含む。第２のダイ７１０は、第２の組のインターコネクト７１２と、１組のハンダボール７１４とを含む。いくつかの実施態様では、ダイ（たとえば、ダイ７０６および／または７１０）はウェハレベルダイである。第１の組のインターコネクト７１６は、少なくともパッド、再分配部分、および／またはピラー（たとえば、銅ピラー）のうちの１つを含むことができる。第２の組のインターコネクト７１２は、少なくともパッド、再分配部分、および／またはピラー（たとえば、銅ピラー）のうちの１つを含むことができる。ダイの例が、図３および図４において説明される。
【００７２】
ステージ３において、第３のダイ７０８が第２のダイ７１０に結合される。第３のダイ７０８は、第３の組のインターコネクト７１８と、１組の基板貫通ビア（ＴＳＶ）７１９とを含む。いくつかの実施態様では、第３のダイ７０８はウェハレベルダイとすることができる。ダイの例が、図３および図４において説明される。第３のダイ７０８は、第３のダイ７０８の背面が第２のダイ７１０の正面（アクティブ面）に結合されるように、第２のダイ７１０に結合される。いくつかの実施態様では、第２の組のインターコネクト７１２および１組のハンダボール７１４は１組のＴＳＶ７１９に電気的に結合される。１組のＴＳＶ７１９は、第３の組のインターコネクト７１８に電気的に結合される。
【００７３】
ステージ４において、封入層７２０が配設される。封入層７２０は、第１のダイ７０６、第２のダイ７１０および第３のダイ７０８を実質的に、または完全に包囲または封入する。いくつかの実施態様では、インターコネクトのうちのいくつか（たとえば、インターコネクト７１６、７１８）は露出したままにすることができる。異なる実施態様は、封入層７２０のために異なる材料を使用することができる。たとえば、封入材は、少なくともモールド、充填材、エポキシおよび／またはポリマーのうちの１つを含むことができる。
【００７４】
いくつかの実施態様では、封入層７２０は、すべてのインターコネクト（たとえば、インターコネクト７１６、７１８）を封入／被覆することもできる。そのような場合に、封入層７２０の一部を除去する（たとえば、研磨する、研削する）ことができる。一例では、封入層７２０の一部がインターコネクト７１６および／またはインターコネクト７１８の表面と揃えられるまで除去される。いくつかの実施態様では、封入層７２０の表面と揃えられるように、インターコネクト７１６および７１８の一部を除去する（たとえば、研磨する、研削する）こともできる。
【００７５】
ステージ５において、図７Ｂにおいて示されるように、第１のダイ７０６のアクティブ面（たとえば、正面）および第３のダイ７０８のアクティブ面（たとえば、正面）上に第１の誘電体層７３０およびいくつかの再分配インターコネクト（たとえば、再分配インターコネクト７３１〜７３４）が配設される。具体的には、第１の組のインターコネクト７１６および第３の組のインターコネクト７１８上にいくつかのインターコネクトが配設される。いくつかの実施態様では、再分配インターコネクト７３１〜７３４は、第１の再分配金属層上に形成される。いくつかの実施態様では、再分配インターコネクト７３１〜７３４は少なくとも１つのビアを含むことができる。
【００７６】
ステージ６において、第１の誘電体層７３０および再分配インターコネクト７３１〜７３４上に第２の誘電体層７４０およびいくつかの再分配インターコネクト（たとえば、再分配インターコネクト７４１〜７４４）が配設される。いくつかの実施態様では、再分配インターコネクト７４１〜７４４は、第２の再分配金属層上に形成される。いくつかの実施態様では、再分配インターコネクト７４１〜７４４は少なくとも１つのビアを含むことができる。
【００７７】
ステージ７において、第２の誘電体層７４０および再分配インターコネクト７４１〜７４４上に第３の誘電体層７５０およびいくつかの再分配インターコネクト（たとえば、再分配インターコネクト７５１〜７５４）が配設される。いくつかの実施態様では、再分配インターコネクト７５１〜７５４は、第３の再分配金属層上に形成される。いくつかの実施態様では、再分配インターコネクト７５１〜７５４は少なくとも１つのビアを含むことができる。
【００７８】
ステージ８において、図７Ｃに示されるように、オプションで、少なくとも１つのアンダーバンプメタライゼーション（ＵＢＭ）層が配設される。具体的には、第１のアンダーバンプメタライゼーション（ＵＢＭ）層７６１、第２のＵＢＭ層７６２、第３のＵＢＭ層７６３および第４のＵＢＭ層７６４が配設される。ステージ８は、１組の誘電体層７６０を示す。いくつかの実施態様では、１組の誘電体層７６０は、誘電体層７３０、７４０および７５０を含む。
【００７９】
ステージ９において、ＵＢＭ層上に少なくとも１つのハンダボールが配設される。具体的には、第１のハンダボール７７１が第１のＵＢＭ層７６１に結合され、第２のハンダボール７７２が第２のＵＢＭ層７６２に結合され、第３のハンダボール７７３が第３のＵＢＭ層７６３に結合され、第４のハンダボール７７４が第４のＵＢＭ層７６４に結合される。上記のように、いくつかの実施態様では、ＵＢＭ層はオプションである。そのような場合に、ハンダボールは、１組の再分配インターコネクトに結合することができる。
【００８０】
ステージ１０において、集積デバイスの表面が除去される（たとえば、研磨される、研削される）。具体的には、キャリア７００および／または接着層７０１が除去される（たとえば、研磨される、研削される）。いくつかの実施態様では、接着層７０１の残留層が残される場合がある。いくつかの実施態様では、第１のダイ７０６および第２のダイ７１０の一部が除去される場合がある。すなわち、第１のダイ７０６の背面および第２のダイ７１０の背面の一部が除去される場合がある。いくつかの実施態様では、それは、第１のダイ７０６の基板の一部および第２のダイ７１０の基板の一部が除去される場合があることを意味する。
【００８１】
集積デバイス（たとえば、半導体デバイス）を配設／製造するためのシーケンスを説明してきたが、ここで、集積デバイス（たとえば、半導体デバイス、ウェハレベル集積パッケージデバイス）を配設／製造するための方法が以下に説明される。
【００８２】
集積デバイスを製造するための例示的な方法
図８は、集積デバイス（たとえば、集積パッケージ）を配設する（たとえば、製造する、作製する）ための例示的な方法を示す。いくつかの実施態様では、図８の方法を用いて、図２、および／または図５〜図６の集積デバイスまたは本開示において説明される他の集積デバイス（たとえば、ダイパッケージ）を配設／製造／作製することができる。
【００８３】
その方法は、（８０５において）キャリア（たとえば、キャリア７００）および接着層（たとえば、接着層７０１）を配設する。接着層は、キャリアの表面に結合される。いくつかの実施態様では、接着層は接着材料である。いくつかの実施態様では、キャリアは基板である。異なる実施態様は、キャリアのために異なる材料を用いることができる（たとえば、シリコン基板、ガラス基板、セラミック基板）。いくつかの実施態様では、キャリアおよび接着層を配設することは、キャリアを形成および／または製造することと、接着層を製造することと、接着層をキャリアに結合することとを含む。
【００８４】
その後、その方法は、（８１０において）基板内および／または基板上に少なくとも１つの集積デバイス（たとえば、ダイ）を配設する。いくつかの実施態様では、（８１０において）少なくとも１つの集積デバイスを配設することは、キャリアおよび／または接着層上に第１のダイを配設することと、第１のダイ上に第２のダイを配設することとを含む。いくつかの実施態様では、少なくとも１つの集積デバイスを配設することは、キャリアおよび／または接着層上に第３のダイを配設することと、第３のダイ上に第４のダイを配設することとを含む。少なくとも１つのダイを配設する例が、図７Ａに示される（ステージ２〜３を参照されたい）。いくつかの実施態様では、配設されるダイはウェハレベルダイである。いくつかの実施態様では、ダイを配設することは、ダイを製造することと、ダイを接着層または別のダイ上に結合する（たとえば、配置する）こととを含む。いくつかの実施態様では、ダイの背面は、接着層上に、またはダイのアクティブ面（たとえば、正面）上に結合される（たとえば、配置される）。
【００８５】
その方法は、（８１５において）封入層を配設する。いくつかの実施態様では、封入層は、ダイ（たとえば、第１のダイ７０６、第２のダイ７１０および第３のダイ７０８）を実質的に、または完全に包囲または封入する。いくつかの実施態様では、インターコネクトのうちのいくつか（インターコネクト７１６、７１８）は露出したままにすることができる。異なる実施態様は、封入層のために異なる材料を使用することができる。いくつかの実施態様では、封入層は、少なくともモールド、充填材、エポキシおよび／またはポリマーのうちの１つである。
【００８６】
その方法はさらに、（８２０において）少なくとも１つの誘電体層（たとえば、誘電体層７３０、７４０、７５０、７６０）を配設する。異なる実施態様は、誘電体層のために異なる材料を使用することができる。たとえば、第１の絶縁層および第２の絶縁層（誘電体層の１つの形態である）は、ポリベンゾオキサゾール（ＰｂＯ）層および／またはポリマー層とすることができる。いくつかの実施態様では、少なくとも１つの誘電体層を配設することは、少なくとも１つの誘電体層を形成し、および／または堆積することを含む。
【００８７】
また、その方法は、（８２５において）いくつかの金属再分配層を配設する。いくつかの実施態様では、いくつかの再分配層を配設することは、いくつかの再分配インターコネクト（たとえば、再分配インターコネクト７３１〜７３４）および／またはビアを配設することを含む。いくつかの実施態様では、（８２０において）少なくとも１つの誘電体層を配設する方法および（８２５において）金属再分配層を配設する方法は、順次に繰返し実行することができる。すなわち、いくつかの実施態様では、その方法は、第１の誘電体層、第１の再分配層、第２の誘電体層、第２の再分配層などを配設することができ、それ以降も同様である。いくつかの実施態様では、金属再分配層を配設することは、いくつかの金属再分配層を形成し、および／または堆積することを含む。
【００８８】
その後、その方法は、オプションで、（８３０において）アンダーバンプメタライゼーション（ＵＢＭ）層を配設する。いくつかの実施態様では、（８３０において）ＵＢＭ層を配設することは、金属再分配層にＵＢＭ層を結合することを含む。いくつかの実施態様では、ＵＢＭ層は銅層である。いくつかの実施態様では、ＵＢＭ層を配設することは、ＵＢＭ層を形成し、および／または堆積することを含む。
【００８９】
その方法はさらに、（８３５において）ＵＢＭ層上にハンダボールを配設する。いくつかの実施態様では、ハンダボールを配設することは、ＵＢＭ層上にハンダボールを結合する（たとえば、堆積する）ことを含む。いくつかの実施態様では、ＵＢＭ層はオプションである。そのような場合に、ハンダボールは、１組の再分配層に結合することができる。
【００９０】
その方法はさらに、（８４０において）集積デバイスの少なくとも一部を除去する。いくつかの実施態様では、集積デバイスの少なくとも一部を除去することは、集積デバイスの第１の表面を研磨し、および／または研削することを含む。たとえば、研磨および／または研削を通して、封入層を含む表面の一部を除去することができる。いくつかの実施態様では、集積デバイスの少なくとも一部を除去することは、キャリアおよび／または接着層の少なくとも一部を除去することを含む。いくつかの実施態様では、接着層の残留層が残される場合がある。いくつかの実施態様では、ダイの一部が除去される場合がある。すなわち、ダイの背面の一部が除去される場合がある。いくつかの実施態様では、それは、ダイの基板の一部が除去される場合があることを意味する。図７Ｃのステージ１０は、キャリア、接着層および／または封入層を除去する一例を示す。
【００９１】
積層ダイを含む集積デバイスを製造するための例示的なシーケンス
いくつかの実施態様では、積層ダイを含む集積デバイス（たとえば、集積パッケージ、ウェハレベル集積パッケージデバイス）を配設することは、いくつかのプロセスを含む。図９Ａ〜図９Ｃは、集積デバイスを配設する（たとえば、製造する、作製する）ための例示的なシーケンスを示す。いくつかの実施態様では、図９Ａ〜図９Ｃのシーケンスを用いて、図２、および／または図５〜図６の集積デバイスまたは本開示において説明される他の集積デバイスを配設／製造／作製することができる。
【００９２】
図９Ａ〜図９Ｃのシーケンスを用いて、回路素子をさらに含む集積デバイスを配設／製造／作製できることにも留意されたい。積層ダイを含む集積デバイスを配設するためのシーケンスを簡単にし、および／または明確にするために、図９Ａ〜図９Ｃのシーケンスは１つまたは複数のステージを組み合わせることができることにさらに留意されたい。
【００９３】
図９Ａのステージ１において示されるように、キャリア（たとえば、キャリア９００）および接着層（たとえば、接着層９０１）が配設される。接着層９０１は、キャリア９００の表面に結合される。いくつかの実施態様では、接着層９０１は接着材料である。いくつかの実施態様では、キャリア９００は基板である。異なる実施態様は、キャリア９００のために異なる材料を用いることができる（たとえば、シリコン基板、ガラス基板、セラミック基板）。
【００９４】
ステージ２において、キャリア９００の接着層９０１上にいくつかのダイが配設される。ステージ２に示されるように、接着層９０１上に第１のダイ９０６および第２のダイ９０８が配設される。具体的には、第１のダイ９０６のアクティブ面（たとえば、正面）および第２のダイ９０８のアクティブ面（たとえば、正面）が接着層９０１に結合される。第１のダイ９０６は、第１の組のインターコネクト９１６を含む。第２のダイ９０８は、第２の組のインターコネクト９１８と、１組の基板貫通ビア（ＴＳＶ）９１９とを含む。いくつかの実施態様では、ダイ（たとえば、ダイ９０６および／または９０８）はウェハレベルダイである。第１の組のインターコネクト９１６は、少なくともパッド、再分配部分、および／またはピラー（たとえば、銅ピラー）のうちの１つを含むことができる。第２の組のインターコネクト９１８は、少なくともパッド、再分配部分、および／またはピラー（たとえば、銅ピラー）のうちの１つを含むことができる。ダイの例が、図３および図４において説明される。
【００９５】
ステージ３において、第３のダイ９１０が第２のダイ９０８に結合される。第３のダイ９１０は、第３の組のインターコネクト９１８と、１組のハンダボール９１４とを含む。いくつかの実施態様では、第３のダイ９１０はウェハレベルダイとすることができる。ダイの例が、図３および図４において説明される。第３のダイ９１０は、第３のダイ９１０の正面（アクティブ面）が第２のダイ９０８の背面に結合されるように、第２のダイ９０８に結合される。いくつかの実施態様では、第３の組のインターコネクト９１２および１組のハンダボール９１４は１組のＴＳＶ９１９に電気的に結合される。１組のＴＳＶ９１９は、第２の組のインターコネクト９１８に電気的に結合される。
【００９６】
ステージ４において、封入層９２０が配設される。封入層９２０は、第１のダイ９０６、第２のダイ９０８および第３のダイ９１０を実質的に、または完全に包囲または封入する。異なる実施態様は、封入層９２０のために異なる材料を使用することができる。たとえば、封入材は、少なくともモールド、充填材、エポキシおよび／またはポリマーのうちの１つを含むことができる。
【００９７】
いくつかの実施態様では、封入層９２０は、第１のダイ９０６および／または第３のダイ９１０より大きくすることができる。そのような場合に、封入層９２０の一部を除去する（たとえば、研磨する、研削する）ことができる。一例では、封入層９２０の表面が第１のダイ９０６および／または第３のダイ９１０の表面と揃えられるまで、封入層９２０の一部が除去される。いくつかの実施態様では、封入層９２０の表面と揃えられるように、第１のダイ９０６および／または第３のダイ９１０の一部を除去する（たとえば、研磨する、研削する）こともできる。
【００９８】
ステージ５において、図９Ｂに示されるように、集積デバイスの表面が除去される（たとえば、研磨される、研削される）。具体的には、キャリア９００および／または接着層９０１が除去される（たとえば、研磨される、研削される）。いくつかの実施態様では、接着層９０１の残留層が残される場合がある。いくつかの実施態様では、第１のダイ９０６および第２のダイ９０８の一部が除去される場合がある。すなわち、第１のダイ９０６のアクティブ面（たとえば、正面）および第２のダイ９０８のアクティブ面（たとえば、正面）の一部が除去される場合がある。いくつかの実施態様では、それは、第１のインターコネクト９１６および第２のインターコネクト９１８の一部が除去される場合があることを意味する。
【００９９】
ステージ６において、集積デバイスは上下逆さにされ、それにより、再分配部分／基部部分をモールド７２０およびダイ上に形成することができる。
【０１００】
ステージ７において、第１のダイ９０６のアクティブ面（たとえば、正面）および第２のダイ９０８のアクティブ面（たとえば、正面）上に第１の誘電体層９３０およびいくつかの再分配インターコネクト（たとえば、再分配インターコネクト９３１〜９３４）が配設される。具体的には、第１の組のインターコネクト９１６および第２の組のインターコネクト９１８上にいくつかのインターコネクトが配設される。いくつかの実施態様では、再分配インターコネクト９３１〜９３４は、第１の再分配金属層上に形成される。いくつかの実施態様では、再分配インターコネクト９３１〜９３４は少なくとも１つのビアを含むことができる。
【０１０１】
ステージ８において、第１の誘電体層９３０および再分配インターコネクト９３１〜９３４上に第２の誘電体層９４０およびいくつかの再分配インターコネクト（たとえば、再分配インターコネクト９４１〜９４４）が配設される。いくつかの実施態様では、再分配インターコネクト９４１〜９４４は、第２の再分配金属層上に形成される。いくつかの実施態様では、再分配インターコネクト９４１〜９４４は少なくとも１つのビアを含むことができる。
【０１０２】
ステージ９において、図９Ｃに示されるように、第２の誘電体層９４０および再分配インターコネクト９４１〜９４４上に第３の誘電体層９５０およびいくつかの再分配インターコネクト（たとえば、再分配インターコネクト９５１〜９５４）が配設される。いくつかの実施態様では、再分配インターコネクト９５１〜９５４は、第３の再分配金属層上に形成される。いくつかの実施態様では、再分配インターコネクト９５１〜９５４は少なくとも１つのビアを含むことができる。
【０１０３】
ステージ１０において、少なくとも１つのアンダーバンプメタライゼーション（ＵＢＭ）層が配設される。具体的には、第１のアンダーバンプメタライゼーション（ＵＢＭ）層９６１、第２のＵＢＭ層９６２、第３のＵＢＭ層９６３および第４のＵＢＭ層９６４が配設される。ステージ１０は、１組の誘電体層９６０を示す。いくつかの実施態様では、１組の誘電体層９６０は、誘電体層９３０、９４０および９５０を含む。
【０１０４】
ステージ１１において、ＵＢＭ層上に少なくとも１つのハンダボールが配設される。具体的には、第１のハンダボール９７１が第１のＵＢＭ層９６１に結合され、第２のハンダボール９７２が第２のＵＢＭ層９６２に結合され、第３のハンダボール９７３が第３のＵＢＭ層９６３に結合され、第４のハンダボール９７４が第４のＵＢＭ層９６４に結合される。
【０１０５】
集積デバイス（たとえば、半導体デバイス）を配設／製造するためのシーケンスを説明してきたが、ここで、集積デバイス（たとえば、半導体デバイス、ウェハレベル集積パッケージデバイス）を配設／製造するための方法が以下に説明される。
【０１０６】
集積デバイスを製造するための例示的な方法
図１０は、集積デバイス（たとえば、集積パッケージ）を配設する（たとえば、製造する、作製する）ための例示的な方法を示す。いくつかの実施態様では、図１０の方法を用いて、図２、および／または図５〜図６の集積デバイスまたは本開示において説明される他の集積デバイス（たとえば、ダイパッケージ）を配設／製造／作製することができる。
【０１０７】
その方法は、（１００５において）キャリア（たとえば、キャリア９００）および接着層（たとえば、接着層９０１）を配設する。接着層は、キャリアの表面に結合される。いくつかの実施態様では、接着層は接着材料である。いくつかの実施態様では、キャリアは基板である。異なる実施態様は、キャリアのために異なる材料を用いることができる（たとえば、シリコン基板、ガラス基板、セラミック基板）。いくつかの実施態様では、キャリアおよび接着層を配設することは、キャリアを形成および／または製造することと、接着層を製造することと、接着層をキャリアに結合することとを含む。
【０１０８】
その後、その方法は、（１０１０において）基板内および／または基板上に少なくとも１つの集積デバイス（たとえば、ダイ）を配設する。いくつかの実施態様では、（１０１０において）少なくとも１つの集積デバイスを配設することは、キャリアおよび／または接着層上に第１のダイを配設することと、第１のダイ上に第２のダイを配設することとを含む。いくつかの実施態様では、少なくとも１つの集積デバイスを配設することは、キャリアおよび／または接着層上に第３のダイを配設することと、第３のダイ上に第４のダイを配設することとを含む。少なくとも１つのダイを配設する例が、図９Ａに示される（ステージ２〜３を参照されたい）。いくつかの実施態様では、配設されるダイはウェハレベルダイである。いくつかの実施態様では、ダイを配設することは、ダイを製造することと、ダイを接着層または別のダイ上に結合する（たとえば、配置する）こととを含む。いくつかの実施態様では、ダイの正面（たとえば、アクティブ面）は、接着層上に、またはダイの背面上に結合される（たとえば、配置される）。
【０１０９】
その方法は、（１０１５において）封入層を配設する。いくつかの実施態様では、封入層は、ダイ（たとえば、第１のダイ９０６、第２のダイ９０８および第３のダイ９１０）を実質的に、または完全に包囲または封入する。異なる実施態様は、封入層のために異なる材料を使用することができる。いくつかの実施態様では、封入層は、少なくともモールド、充填材、エポキシおよび／またはポリマーのうちの１つである。
【０１１０】
その方法はさらに、（１０２０において）集積デバイスの少なくとも一部を除去する。いくつかの実施態様では、集積デバイスの少なくとも一部を除去することは、集積デバイスの第１の表面を研磨し、および／または研削することを含む。たとえば、研磨および／または研削を通して、封入層を含む表面の一部を除去することができる。いくつかの実施態様では、集積デバイスの少なくとも一部を除去することは、キャリアおよび／または接着層の少なくとも一部を除去することを含む。いくつかの実施態様では、接着層の残留層が残される場合がある。いくつかの実施態様では、ダイの一部が除去される場合がある。すなわち、ダイの正面（たとえば、アクティブ面）の一部が除去される場合がある。いくつかの実施態様では、それは、インターコネクト（たとえば、インターコネクト９１６および９１８）の一部が除去される場合があることを意味する。図９Ｂのステージ５は、キャリア、接着層および／または封入層を除去する一例を示す。
【０１１１】
その方法はさらに、（１０２５において）少なくとも１つの誘電体層（たとえば、誘電体層９３０、９４０、９５０、９６０）を配設する。異なる実施態様は、誘電体層のために異なる材料を使用することができる。たとえば、第１の絶縁層および第２の絶縁層（誘電体層の１つの形態である）は、ポリベンゾオキサゾール（ＰｂＯ）層および／またはポリマー層とすることができる。いくつかの実施態様では、少なくとも１つの誘電体層を配設することは、少なくとも１つの誘電体層を形成し、および／または堆積することを含む。いくつかの実施態様では、誘電体層は、集積デバイスを反転させた後に配設される（たとえば、図９Ｂのステージ６に示される）。
【０１１２】
また、その方法は、（１０３０において）いくつかの金属再分配層を配設する。いくつかの実施態様では、いくつかの再分配層を配設することは、いくつかの再分配インターコネクト（たとえば、再分配インターコネクト９３１〜９３４）および／またはビアを配設することを含む。いくつかの実施態様では、（１０２５において）少なくとも１つの誘電体層を配設する方法および（１０３０において）金属再分配層を配設する方法は、順次に繰返し実行することができる。すなわち、いくつかの実施態様では、その方法は、第１の誘電体層、第１の再分配層、第２の誘電体層、第２の再分配層などを配設することができ、それ以降も同様である。いくつかの実施態様では、金属再分配層を配設することは、いくつかの金属再分配層を形成し、および／または堆積することを含む。
【０１１３】
その後、その方法は、オプションで、（１０３５において）アンダーバンプメタライゼーション（ＵＢＭ）層を配設する。いくつかの実施態様では、（１０３５において）ＵＢＭ層を配設することは、ＵＢＭ層を金属再分配層に結合することを含む。いくつかの実施態様では、ＵＢＭ層は銅層である。いくつかの実施態様では、ＵＢＭ層を配設することは、ＵＢＭ層を形成し、および／または堆積することを含む。
【０１１４】
その方法はさらに、（１０４０において）ＵＢＭ層上にハンダボールを配設する。いくつかの実施態様では、ハンダボールを配設することは、ＵＢＭ層上にハンダボールを結合する（たとえば、堆積する）ことを含む。いくつかの実施態様では、ＵＢＭ層はオプションである。そのような場合に、ハンダボールは、１組の再分配層に結合することができる。
【０１１５】
再分配層を製造するための例示的なシーケンス
いくつかの実施態様では、再分配層を含む集積デバイスを配設する（たとえば、製造する、作製する）ことはいくつかのプロセスを含む。図１１Ａ〜図１１Ｃは、いくつかの再分配層を含む集積デバイスを配設するための例示的なシーケンスを示す。いくつかの実施態様では、図１１Ａ〜図１１Ｃのシーケンスを用いて、図２〜図６の集積デバイスおよび／または本開示において説明される他の集積デバイス（たとえば、ダイ、集積デバイス）を配設／製造／作製することができる。
【０１１６】
図１１Ａ〜図１１Ｃのシーケンスを用いて、回路素子をさらに含む集積デバイスを配設／製造／作製できることにも留意されたい。再分配層を含む集積デバイスを配設するためのシーケンスを簡単にし、および／または明確にするために、図１１Ａ〜図１１Ｃのシーケンスは、１つまたは複数のステージを組み合わせることができることにさらに留意されたい。図１１Ａ〜図１１Ｃは、１つまたは複数の再分配層を配設するためのさらに具体的なプロセスである。
【０１１７】
図１１Ａのステージ１において示されるように、基部部分１１０２が配設される。基部部分１１０２は、封入層によって封入されるダイ（たとえば、ウェハレベルダイ）または１つまたは複数のダイを表すことができる。さらに、ステージ１において、基部部分１１０２上に少なくとも１つのパッド（たとえば、パッド１１０４、１１２５、１１２９）が配設される。いくつかの実施態様では、基部部分１１０２はダイ（たとえば、ダイ３００または４００）の下位金属層および誘電体層（たとえば、層３０２または４０２）を含む。いくつかの実施態様では、パッド１１０４は、ダイの下位金属層のうちの１つ（たとえば、最上位の下位金属層、Ｍ７金属層）に結合される。いくつかの実施態様では、パッド１１０４はアルミニウムパッドである。しかしながら、異なる実施態様は、パッド１１０４のために異なる材料を使用することができる。いくつかの実施態様では、パッドはダイの下位金属層および誘電体層に電気的に結合することができる。異なる実施態様は、パッドを配設するために異なるプロセスを使用することができる。たとえば、いくつかの実施態様では、パッド１１０４を配設するために、リソグラフィおよび／またはエッチングプロセスを用いることができる。
【０１１８】
さらに、ステージ１において、基部部分１１０２上にパッシベーション層（たとえば、パッシベーション層１１０６）が配設される。異なる実施態様は、パッシベーション層１１０６のために異なる材料を使用することができる。いくつかの実施態様では、パッシベーション層は、誘電体、モールド、ポリマーおよび／またはエポキシのうちの少なくとも１つである。ステージ４において示されるように、パッシベーション層１１０６は、パッド１１０４の少なくとも一部が露出するように、基部部分１１０２上に配設される。
【０１１９】
ステージ２において、パッシベーション層１１０６およびパッド１１０４、１１２５、１１２９上に第１の絶縁層（たとえば第１の絶縁層１１０８）が配設される。いくつかの実施態様では、第１の絶縁層１１０８は誘電体層である。異なる実施態様は、第１の絶縁層１１０８のために異なる材料を使用することができる。たとえば、第１の絶縁層１１０８は、ポリベンゾオキサゾール（ＰｂＯ）層および／またはポリマー層とすることができる。
【０１２０】
ステージ２において、第１の絶縁層１１０８内にいくつかの空洞（たとえば、空洞１１０９、トレンチ）も配設される／作製される。ステージ３においてさらに示されるように、空洞１１０９はパッド１１０４にわたって作製される。同様に、空洞１１１１がパッド１１２５にわたって作製され、空洞１１１３がパッド１１２９にわたって作製される。異なる実施態様は、空洞（たとえば、空洞１１０９）を異なるように作製することができる。たとえば、空洞１１０９は、第１の絶縁層１１０８をエッチングすることによって配設する／作製することができる。
【０１２１】
ステージ３において、第１の金属再分配層が配設される。具体的には、パッド１１０４および第１の絶縁層１１０８にわたって、第１の金属再分配層１１１０が配設される。ステージ３において示されるように、第１の金属再分配層１１１０はパッド１１０４に結合される。第１の金属再分配層１１１０は、第１の金属層１１３０および第２の金属層１１３２を含むこともできる。すなわち、いくつかの実施態様では、第１の金属層１１３０および第２の金属層１１３２は、第１の金属再分配層１１１０と同じ層上に存在する。いくつかの実施態様では、第１の金属層１１３０および第２の金属層１１３２はビアである。いくつかの実施態様では、第１の金属再分配層１１１０は銅層である。
【０１２２】
図１１Ｂのステージ４において、いくつかの絶縁層およびいくつかの再分配層が配設される。具体的には、第２の絶縁層１１１４および第３の絶縁層１１１６が配設される。さらに、第２の金属再分配層１１２０が配設される。さらに、いくつかの金属層（１１４０、１１５０、１１４２、１１５２）が配設される。いくつかの実施態様では、金属層は再分配層の一部である。いくつかの実施態様では、金属層のうちのいくつかはビアを含む。たとえば、いくつかの実施態様では、金属層１１４２および１１５２はビアであり、金属層１１４０および１１５０はトレースである。
【０１２３】
ステージ５において、絶縁層１１１６内に空洞１１１７が配設される。絶縁層１１１６内の空洞１１１７は、インターコネクト１１２０の一部にわたって存在する。
【０１２４】
図１１Ｃのステージ６において、オプションで、アンダーバンプメタライゼーション（ＵＢＭ）層が配設される。具体的には、絶縁層１１１６の空洞１１１７内にアンダーバンプメタライゼーション（ＵＢＭ）層１１７０が配設される。いくつかの実施態様では、ＵＢＭ層１１７０は銅層である。
【０１２５】
ステージ７において、ＵＢＭ層上にハンダボールが配設される。具体的には、ハンダボール１１８０がＵＢＭ層１１７０に結合される。いくつかの実施態様では、ＵＢＭ層はオプションである。そのような場合には、ハンダボールは、１組の再分配層に結合することができる。
【０１２６】
例示的な電子デバイス
図１２は、上記の半導体デバイス、集積回路、ダイ、インターポーザ、またはパッケージのうちのいずれかと一体に構成することができる種々の電子デバイスを示す。たとえば、モバイル電話１２０２、ラップトップコンピュータ１２０４、および定置端末１２０６が、本明細書において説明されたような集積回路（ＩＣ）１２００を含むことができる。ＩＣ１２００は、たとえば、本明細書において説明される集積回路、ダイ、またはパッケージのいずれかとすることができる。図１２に示されるデバイス１２０２、１２０４、１２０６は例示にすぎない。限定はしないが、モバイルデバイス、ハンドヘルドパーソナル通信システム（ＰＣＳ）ユニット、携帯情報端末などのポータブルデータユニット、ＧＰＳ対応デバイス、ナビゲーションデバイス、セットトップボックス、音楽プレーヤ、ビデオプレーヤ、エンターテイメントユニット、メータ読取り機器などの定置データユニット、通信デバイス、スマートフォン、タブレットコンピュータ、またはデータもしくはコンピュータ命令の記憶もしくは取出しを行う任意の他のデバイス、またはそれらの任意の組合せを含む他の電子デバイスが、ＩＣ１２００を採用することもできる。
【０１２７】
図２、図３、図４、図５、図６、図７Ａ〜図７Ｃ、図８、図９Ａ〜図９Ｃ、図１０、図１１Ａ〜図１１Ｃおよび／または図１２に示された構成要素、ステップ、特徴、および／または機能のうちの１つまたは複数は、単一の構成要素、ステップ、特徴、もしくは機能に再構成し、かつ／もしくは組み合わせることができ、または、いくつかの構成要素、ステップ、もしくは機能において具現することができる。本発明から逸脱することなく、さらなる要素、構成要素、ステップ、および／または機能を追加することもできる。本開示における図２、図３、図４、図５、図６、図７Ａ〜図７Ｃ、図８、図９Ａ〜図９Ｃ、図１０、図１１Ａ〜図１１Ｃおよび／または図１２と、その対応する説明とは、ダイおよび／またはＩＣに限定されないことにも留意されたい。いくつかの実施態様では、図２、図３、図４、図５、図６、図７Ａ〜図７Ｃ、図８、図９Ａ〜図９Ｃ、図１０、図１１Ａ〜図１１Ｃおよび／または図１２と、その対応する説明とは、集積デバイスを作製し、製造し、形成し、配設し、および／または生産するために用いることができる。いくつかの実施態様では、集積デバイスは、ダイパッケージ、集積回路（ＩＣ）、集積パッケージデバイス、ウェハおよび／または半導体デバイスを含むことができる。
【０１２８】
「例示的」という言葉は、「例、事例、または例示として役立つ」ことを意味するように本明細書において使用される。「例示的な」として本明細書において説明されるいかなる実施態様または態様も、必ずしも本開示の他の態様よりも好ましいか、または有利であると解釈されるべきではない。同様に、「態様」という用語は、本開示のすべての態様が、論じられる特徴、利点、または動作モードを含むことを必要としない。「結合された」という用語は、本明細書において、２つの物体間の直接の、または間接的な結合を指すために使用される。たとえば、物体Ａが物体Ｂに物理的に接触し、物体Ｂが物体Ｃに接触する場合、物体Ａと物体Ｃとは、互いに物理的に直接接触していなくても、それでも互いに結合すると見なすことができる。
【０１２９】
また、実施形態は、流れ図、フロー図、構造図、またはブロック図として示されるプロセスとして説明される場合があることに留意されたい。流れ図は動作を順次プロセスとして説明する場合があるが、動作の多くは、並行してまたは同時に実行することができる。さらに、動作の順序は入れ替えることができる。プロセスは、その動作が完了したときに終了する。
【０１３０】
本明細書において説明される本発明の種々の特徴は、本発明から逸脱することなく、異なるシステムにおいて実施することができる。本開示のこれまでの態様は例にすぎず、本発明を限定するものと解釈されるべきではないことに留意されたい。本開示の態様の説明は、例示であることを意図しており、特許請求の範囲を限定することは意図していない。したがって、本教示は、他のタイプの装置に容易に適用することができ、数多くの代替、修正および変形が、当業者には明らかになるであろう。
【符号の説明】
【０１３１】
１００  集積パッケージ
１０２  基板
１０６  第１のダイ
１０８  第２のダイ
１１６  第１の組のハンダボール
１１８  第２の組のハンダボール
１２０  第３の組のハンダボール
２００  集積デバイス
２０２  誘電体層
２０４  第１の組のハンダボール
２０４ａ  ハンダボール
２０４ｂ  ハンダボール
２０４ｃ  ハンダボール
２０４ｄ  ハンダボール
２０６  第１のダイ
２０８  第２のダイ
２１０  第３のダイ
２１２  第３の組のインターコネクト
２１４  １組のハンダボール
２１６  第１の組のインターコネクト
２１８  第２の組のインターコネクト
２１９  基板貫通ビア（ＴＳＶ）
２２０  封入材
２３０  第１の組の再分配インターコネクト
２３２  第１のアンダーバンプ（ＵＢＭ）層
２４０  第２の組の再分配インターコネクト
２４２  第１のアンダーバンプ（ＵＢＭ）層
２５０  第３の組の再分配インターコネクト
２５２  第３のアンダーバンプ（ＵＢＭ）層
２６０  第４の組の再分配インターコネクト
２６２  第４のアンダーバンプ（ＵＢＭ）層
３００  ダイ
３０１  基板
３０２  下位金属層および誘電体層
３１１  インターコネクト
３１２  インターコネクト
３１３  インターコネクト
３１４  インターコネクト
３１５  インターコネクト
３１６  インターコネクト
３２０  封入材
４００  ダイ
４０１  基板
４０２  下位金属層および誘電体層
４１１  インターコネクト
４１２  インターコネクト
４１３  インターコネクト
４１４  インターコネクト
４１５  インターコネクト
４１６  インターコネクト
４２０  封入材
４２１  第１の基板貫通ビア（ＴＳＶ）
４２２  第２のＴＳＶ
４２３  第３のＴＳＶ
４２４  第４のＴＳＶ
５００  集積デバイス
５０２  誘電体層
５０４  第１の組のハンダボール
５０４ａ  ハンダボール
５０４ｂ  ハンダボール
５０４ｃ  ハンダボール
２０４ｄ  ハンダボール
５０６  第１のダイ
５０８  第２のダイ
５１０  第３のダイ
５１２  第３の組のインターコネクト
５１４  １組のハンダボール
５１６  第１の組のインターコネクト
５１８  第２の組のインターコネクト
５１９  １組の基板貫通ビア（ＴＳＶ）
５２０  封入材
５３０  第１の組の再分配インターコネクト
５３２  第１のアンダーバンプ（ＵＢＭ）層
５４０  第２の組の再分配インターコネクト
５４２  第１のアンダーバンプ（ＵＢＭ）層
５５０  第３の組の再分配インターコネクト
５５２  第３のアンダーバンプ（ＵＢＭ）層
５６０  第４の組の再分配インターコネクト
５６２  第４のアンダーバンプ（ＵＢＭ）層
６００  集積デバイス
６０２  誘電体層
６０４  第１の組のハンダボール
６０４ａ  ハンダボール
６０４ｂ  ハンダボール
６０４ｃ  ハンダボール
６０４ｄ  ハンダボール
６０６  第１のダイ
６０８  第２のダイ
６１０  第３のダイ
６１１  第４のダイ
６１２  第３の組のインターコネクト
６１４  １組のハンダボール
６１６  第１の組のインターコネクト
６１８  第２の組のインターコネクト
６２０  封入材
６２２  第４の組のインターコネクト
６２４  １組のハンダボール
６２９  １組の基板貫通ビア（ＴＳＶ）
６３０  第１の組の再分配インターコネクト
６３２  第１のアンダーバンプ（ＵＢＭ）層
６４０  第２の組の再分配インターコネクト
６４２  第１のアンダーバンプ（ＵＢＭ）層
６５０  第３の組の再分配インターコネクト
６５２  第３のアンダーバンプ（ＵＢＭ）層
６６０  第４の組の再分配インターコネクト
６６２  第４のアンダーバンプ（ＵＢＭ）層
７００  キャリア
７０１  接着層
７０６  第１のダイ
７０８  第３のダイ
７１０  第２のダイ
７１２  第２の組のインターコネクト
７１４  １組のハンダボール
７１６  第１の組のインターコネクト
７１８  第３の組のインターコネクト
７１９  １組の基板貫通ビア（ＴＳＶ）
７２０  封入層
７３０  第１の誘電体層
７３１  再分配インターコネクト
７３２  再分配インターコネクト
７３３  再分配インターコネクト
７３４  再分配インターコネクト
７４０  第２の誘電体層
７４１  再分配インターコネクト
７４２  再分配インターコネクト
７４３  再分配インターコネクト
７４４  再分配インターコネクト
７５０  第３の誘電体層
７５１  再分配インターコネクト
７５２  再分配インターコネクト
７５３  再分配インターコネクト
７５４  再分配インターコネクト
７６０  １組の誘電体層
７６１  第１のアンダーバンプメタライゼーション（ＵＢＭ）層
７６２  第２のＵＢＭ層
７６３  第３のＵＢＭ層
７６４  第４のＵＢＭ層
７７１  第１のハンダボール
７７２  第２のハンダボール
７７３  第３のハンダボール
７７４  第４のハンダボール
９００  キャリア
９０１  接着層
９０６  第１のダイ
９０８  第２のダイ
９１０  第３のダイ
９１２  第３の組のインターコネクト
９１４  １組のハンダボール
９１６  第１の組のインターコネクト
９１８  第２の組のインターコネクト
９１９  １組の基板貫通ビア（ＴＳＶ）
９２０  封入層
９３０  第１の誘電体層
９３１  再分配インターコネクト
９３２  再分配インターコネクト
９３３  再分配インターコネクト
９３４  再分配インターコネクト
９４０  第２の誘電体層
９４１  再分配インターコネクト
９４２  再分配インターコネクト
９４３  再分配インターコネクト
９４４  再分配インターコネクト
９５０  第３の誘電体層
９５１  再分配インターコネクト
９５２  再分配インターコネクト
９５３  再分配インターコネクト
９５４  再分配インターコネクト
９６０  １組の誘電体層
９６１  第１のアンダーバンプメタライゼーション（ＵＢＭ）層
９６２  第２のＵＢＭ層
９６３  第３のＵＢＭ層
９６４  第４のＵＢＭ層
９７１  第１のハンダボール
９７２  第２のハンダボール
９７３  第３のハンダボール
９７４  第４のハンダボール
１１０２  基部部分
１１０４  パッド
１１０６  パッシベーション層
１１０８  第１の絶縁層
１１０９  空洞
１１１０  第１の金属再分配層
１１１１  空洞
１１１３  空洞
１１１４  第２の絶縁層
１１１６  第３の絶縁層
１１１７  空洞
１１２０  第２の金属再分配層
１１２５  パッド
１１２９  パッド
１１３０  第１の金属層
１１３２  第２の金属層
１１４０  金属層
１１４２  金属層
１１５０  金属層
１１５２  金属層
１１７０  アンダーバンプメタライゼーション（ＵＢＭ）層
１１８０  ハンダボール
１２００  ＩＣ
１２０２  モバイル電話
１２０４  ラップトップコンピュータ
１２０６  定置端末
【図１】
2018082205.tif 000003
【図２】
2018082205.tif 000004
【図３】
2018082205.tif 000005
【図４】
2018082205.tif 000006
【図５】
2018082205.tif 000007
【図６】
2018082205.tif 000008
【図７Ａ】
2018082205.tif 000009
【図７Ｂ】
2018082205.tif 000010
【図７Ｃ】
2018082205.tif 000011
【図８】
2018082205.tif 000012
【図９Ａ】
2018082205.tif 000013
【図９Ｂ】
2018082205.tif 000014
【図９Ｃ】
2018082205.tif 000015
【図１０】
2018082205.tif 000016
【図１１Ａ】
2018082205.tif 000017
【図１１Ｂ】
2018082205.tif 000018
【図１１Ｃ】
2018082205.tif 000019
【図１２】
2018082205.tif 000020
【手続補正書】
【提出日】平成30年1月15日(2018.1.15)
【手続補正１】
【補正対象書類名】特許請求の範囲
【補正対象項目名】全文
【補正方法】変更
【補正の内容】
【特許請求の範囲】
【請求項１】
集積デバイスであって、
前記集積デバイスのための基部として構成される誘電体層と、
前記誘電体層内にある複数の再分配金属層と、
前記誘電体層の第１の表面に結合される第１のウェハレベルダイであって、前記第１のウェハレベルダイは少なくとも１つの基板貫通ビア（ＴＳＶ）を備え、前記第１のウェハレベルダイが第１の組のインターコネクトを介して前記複数の再分配金属層に結合され、前記第１の組のインターコネクトが銅ピラーを含む、第１のウェハレベルダイと、
前記第１のウェハレベルダイに結合される第２のウェハレベルダイであって、前記第２のウェハレベルダイは前記第１の組のインターコネクト、前記少なくとも１つの基板貫通ビア、１組のハンダボール、および第２の組のインターコネクトを介して前記複数の再分配金属層にさらに結合され、前記第２の組のインターコネクトが銅ピラーを含む、第２のウェハレベルダイとを備える、集積デバイス。
【請求項２】
前記誘電体層はいくつかの誘電体層を含む、請求項１に記載の集積デバイス。
【請求項３】
前記第２のウェハレベルダイは前記第２の組のインターコネクトおよび前記１組のハンダボールを通して前記第１のウェハレベルダイに結合される、請求項１に記載の集積デバイス。
【請求項４】
前記第１のウェハレベルダイおよび前記第２のウェハレベルダイを封入する封入層をさらに備える、請求項１に記載の集積デバイス。
【請求項５】
前記誘電体層の前記第１の表面に結合される第３のウェハレベルダイをさらに備える、請求項１に記載の集積デバイス。
【請求項６】
前記第１のウェハレベルダイはプロセッサであり、前記第２のウェハレベルダイはメモリダイである、請求項１に記載の集積デバイス。
【請求項７】
前記集積デバイスは、音楽プレーヤ、ビデオプレーヤ、エンターテイメントユニット、ナビゲーションデバイス、通信デバイス、モバイルデバイス、モバイルフォン、スマートフォン、携帯情報端末、定置端末、タブレットコンピュータ、および／またはラップトップコンピュータのうちの少なくとも１つに組み込まれる、請求項１に記載の集積デバイス。
【外国語明細書】
2018082205000001.pdf